(57)【要約】  光アクセスネットワークシステムが提供される。システムは、無線信号を送信及び受信し、無線信号と第１の中間／無線周波数信号との間の変換を実現するＲＲＵ（１）と、無線信号を受信又は送信し、無線信号と第１の中間／無線周波数信号との間の変換及び第１の中間／無線周波数信号とファイバ伝送信号との間の変換を実現するＯＮＵ／ＯＮＴ（２）と、前記ファイバ伝送信号を送信するための前記ＯＵＮ／ＯＮＴ（２）に接続されたＯＤＮ（３）と、前記ファイバ伝送信号を受信又は送信し、前記ファイバ伝送信号と第２の中間／無線周波数信号との間の変換及び前記第２の中間／無線周波数信号とベースバンド信号との間の変換及び前記ベースバンド信号と他の標準プロトコル信号との間の変換を実現するＯＬＴ装置（４）と、を含む。本発明は、ＯＮＵ／ＯＮＴ（２）と、ＯＬＴ装置（４）と、光アクセスネットワークのデータ伝送方法と、を更に提供する。
2011504027.tif 000002
【特許請求の範囲】
【請求項１】
リモート無線ユニット（ＲＲＵ）と、
光ネットワークユニット（ＯＮＵ）／光ネットワークターミナル（ＯＮＴ）と、
光分配ネットワーク（ＯＤＮ）と、
光回線ターミナル（ＯＬＴ）装置と、
を備え、
前記ＲＲＵが、無線信号を受信し、前記無線信号を第１の中間周波数／無線周波数（ＩＦ／ＲＦ）信号に変換し、前記第１のＩＦ／ＲＦ信号を前記ＯＮＵ／ＯＮＴに送信するように適合され、
前記ＯＮＵ／ＯＮＴが、前記ＲＲＵから前記第１のＩＦ／ＲＦ信号を受信し、前記第１のＩＦ／ＲＦ信号をファイバ伝送信号に変換し、前記ファイバ伝送信号を前記ＯＤＮに送信するように適合され、
前記ＯＤＮが、前記ＯＮＵ／ＯＮＴによって送信された前記ファイバ伝送信号を前記ＯＬＴ装置に送信するように適合され、
前記ＯＬＴ装置が、前記ＯＤＮによって送信された前記ファイバ伝送信号を受信し、前記ファイバ伝送信号を別の標準プロトコルの信号に変換するように適合されるか、又は、
前記ＯＬＴ装置が、別の標準プロトコルの信号をファイバ伝送信号に変換し、前記ファイバ伝送信号を伝送のために前記ＯＤＮに送信するように適合され、
前記ＯＤＮが、前記ファイバ伝送信号を前記ＯＮＵ／ＯＮＴに送信するように適合され、
前記ＯＮＵ／ＯＮＴが、前記ＯＤＮによって送信された前記ファイバ伝送信号を受信し、前記ファイバ伝送信号を第１のＩＦ／ＲＦ信号に変換し、前記第１のＩＦ／ＲＦ信号を前記ＲＲＵに送信するように適合され、
前記ＲＲＵが、前記第１のＩＦ／ＲＦ信号を無線信号に変換し、前記無線信号を送信するように適合される、
光アクセスネットワーク（ＯＡＮ）システム。
【請求項２】
前記ＯＮＵ／ＯＮＴは、第１の速度適応ユニットと、第１のデータ処理ユニットと、を備え、
前記第１の速度適応ユニットが、前記ＲＲＵから前記第１のＩＦ／ＲＦ信号を受信し、前記ＩＦ／ＲＦ信号に対して速度適応とフレームフォーマット変換とを実行して第１の適応信号を取得し、前記第１の適応信号を前記第１のデータ処理ユニットに送信するように適合され、
前記第１のデータ処理ユニットが、前記第１の速度適応ユニットから前記第１の適応信号を受信し、前記第１の適応信号を光伝送プロトコルに従って前記ファイバ伝送信号に変換するように適合されるか、又は、
前記第１のデータ処理ユニットが、前記ファイバ伝送信号を光伝送プロトコルに従って第１の適応信号に変換し、前記第１の適応信号を前記第１の速度適応ユニットに送信するように適合され、
前記第１の速度適応ユニットが、前記第１の適応信号を受信し、前記第１の適応信号に対して速度適応とフレームフォーマット変換とを実行して前記第１のＩＦ／ＲＦ信号を取得し、前記第１のＩＦ／ＲＦ信号を前記ＲＲＵに送信するように適合される、
請求項１に記載のシステム。
【請求項３】
前記ＲＲＵと前記ＯＮＵ／ＯＮＴとが統合されて同じ装置内に設置されている、請求項１に記載のシステム。
【請求項４】
前記ＯＬＴ装置は、第２のデータ処理ユニットと、第２の速度適応ユニットと、ベースバンドユニット（ＢＢＵ）と、インタフェースユニットと、を備え、
前記第２のデータ処理ユニットが、前記ＯＤＮから前記ファイバ伝送信号を受信し、前記ファイバ伝送信号を光伝送プロトコルに従って第２の適応信号に変換し、前記第２の適応信号を前記第２の速度適応ユニットに送信するように適合され、
前記第２の速度適応ユニットが、前記第２のデータ処理ユニットから前記第２の適応信号を受信し、前記第２の適応信号に対して速度適応とフレームフォーマット変換とを実行して第２のＩＦ／ＲＦ信号を取得し、前記第２のＩＦ／ＲＦ信号を前記ＢＢＵに送信するように適合され、
前記ＢＢＵが、前記第２の速度適応ユニットによって送信された前記第２のＩＦ／ＲＦ信号を受信し、前記第２のＩＦ／ＲＦ信号をベースバンド信号に変換し、前記ベースバンド信号を前記インタフェースユニットに送信するように適合され、
前記インタフェースユニットが、前記ＢＢＵによって送信された前記ベースバンド信号を受信し、前記ベースバンド信号を別の標準プロトコルの信号に変換するように適合されるか、又は、
前記インタフェースユニットが、別の標準プロトコルの信号を受信し、前記別の標準プロトコルの信号をベースバンド信号に変換し、前記ベースバンド信号を前記ＢＢＵに送信するように適合され、
前記ＢＢＵが、前記インタフェースユニットによって送信された前記ベースバンド信号を受信し、前記ベースバンド信号を第２のＩＦ／ＲＦ信号に変換し、前記第２のＩＦ／ＲＦ信号を前記第２の速度適応ユニットに送信するように適合され、
前記第２の速度適応ユニットが、前記ＢＢＵによって送信された前記第２のＩＦ／ＲＦ信号を受信し、前記第２のＩＦ／ＲＦ信号に対して速度適応とフレームフォーマット変換とを実行して第２の適応信号を取得し、前記第２の適応信号を前記第２のデータ処理ユニットに送信するように適合され、
前記第２のデータ処理ユニットが、前記第２の速度適応ユニットによって送信された前記第２の適応信号を受信し、前記第２の適応信号を光伝送プロトコルに従って前記ファイバ伝送信号に変換し、前記ファイバ伝送信号を前記ＯＤＮに送信するように適合される、
請求項１に記載のシステム。
【請求項５】
第１の速度適応ユニットと、
第１のデータ処理ユニットと、
を備え、
前記第１の速度適応ユニットが、第１の中間周波数／無線周波数（ＩＦ／ＲＦ）信号を受信し、前記第１のＩＦ／ＲＦ信号に対して速度適応とフレームフォーマット変換とを実行して第１の適応信号を取得し、前記第１の適応信号を前記第１のデータ処理ユニットに送信するように適合され、
前記第１のデータ処理ユニットが、前記第１の速度適応ユニットから前記第１の適応信号を受信し、前記第１の適応信号を光伝送プロトコルに従ってファイバ伝送信号に変換するように適合されるか、又は、
前記第１のデータ処理ユニットが、ファイバ伝送信号を光伝送プロトコルに従って第１の適応信号に変換し、前記第１の適応信号を前記第１の速度適応ユニットに送信するように適合され、
前記第１の速度適応ユニットが、前記第１のデータ処理ユニットによって送信された前記第１の適応信号を受信し、前記第１の適応信号に対して速度適応とフレームフォーマット変換とを実行して第１のＩＦ／ＲＦ信号を取得し、前記第１のＩＦ／ＲＦ信号を送信するように適合される、
光ネットワーク装置。
【請求項６】
無線信号を受信し、前記無線信号を前記第１のＩＦ／ＲＦ信号に変換し、前記第１のＩＦ／ＲＦ信号を前記第１の速度適応ユニットに送信するように適合されるか、又は、前記第１の速度適応ユニットによって送信された前記第１のＩＦ／ＲＦ信号を受信し、前記第１のＩＦ／ＲＦ信号を無線信号に変換し、前記無線信号を送信するように適合されたリモート無線ユニット（ＲＲＵ）を更に備える、請求項５に記載の光ネットワーク装置。
【請求項７】
前記光ネットワーク装置がギガビット受動光ネットワーク（ＧＰＯＮ）内で使用される場合に、前記第１のデータ処理ユニットは、
ＧＰＯＮプロトコルスタック内の伝送コンバージェンス（ＴＣ）層の機能を実施し、前記第１の適応信号と前記ファイバ伝送信号との間のデータフォーマット変換を実行するように適合されたＰＯＮ  ＴＣ層機能ユニットと、
前記ＧＰＯＮプロトコルスタック内の物理層の機能を実施し、前記ＰＯＮ  ＴＣ層機能ユニットによって処理されたデータのＯＤＮのファイバ上での伝送に関与するように適合されたＧＰＯＮ光分配ネットワーク（ＯＤＮ）インタフェース機能ユニットと、
を特に備える、請求項５又は６に記載の光ネットワーク装置。
【請求項８】
前記光ネットワーク装置がイーサネット（登録商標）受動光ネットワーク（ＥＰＯＮ）内で使用される場合に、前記第１のデータ処理ユニットは、
ＥＰＯＮプロトコルスタック内のデータリンク層の機能を実施し、前記第１の適応信号と前記ファイバ伝送信号との間のデータフォーマット変換を実行するように適合されたＥＰＯＮデータリンク層機能ユニットと、
前記ＥＰＯＮプロトコルスタック内の物理層の機能を実施し、前記ＥＰＯＮデータリンク層機能ユニットによって処理されたデータのＯＤＮのファイバ上での伝送に関与するように適合されたＥＰＯＮ  ＯＤＮインタフェース機能ユニットと、
を特に備える、請求項５又は６に記載の光ネットワーク装置。
【請求項９】
第２のデータ処理ユニットと、
第２の速度適応ユニットと、
ベースバンドユニット（ＢＢＵ）と、
インタフェースユニットと、
を備え、
前記第２のデータ処理ユニットが、光分配ネットワーク（ＯＤＮ）からファイバ伝送信号を受信し、前記ファイバ伝送信号を光伝送プロトコルに従って第２の適応信号に変換し、前記第２の適応信号を前記第２の速度適応ユニットに送信するように適合され、
前記第２の速度適応ユニットが、前記第２のデータ処理ユニットから前記第２の適応信号を受信し、前記第２の適応信号に対して速度適応とフレームフォーマット変換とを実行して第２の中間周波数／無線周波数（ＩＦ／ＲＦ）信号を取得し、前記第２のＩＦ／ＲＦ信号を前記ＢＢＵに送信するように適合され、
前記ＢＢＵが、前記第２の速度適応ユニットによって送信された前記第２のＩＦ／ＲＦ信号を受信し、前記第２のＩＦ／ＲＦ信号をベースバンド信号に変換し、前記ベースバンド信号を前記インタフェースユニットに送信するように適合され、
前記インタフェースユニットが、前記ＢＢＵによって送信された前記ベースバンド信号を受信し、前記ベースバンド信号を別の標準プロトコルの信号に変換するように適合されるか、又は、
前記インタフェースユニットが、別の標準プロトコルの信号を受信し、前記別の標準プロトコルの信号をベースバンド信号に変換し、前記ベースバンド信号を前記ＢＢＵに送信するように適合され、
前記ＢＢＵが、前記インタフェースユニットによって送信された前記ベースバンド信号を受信し、前記ベースバンド信号を第２のＩＦ／ＲＦ信号に変換し、前記第２のＩＦ／ＲＦ信号を前記第２の速度適応ユニットに送信するように適合され、
前記第２の速度適応ユニットが、前記ＢＢＵによって送信された前記第２のＩＦ／ＲＦ信号を受信し、前記第２のＩＦ／ＲＦ信号に対して速度適応とフレームフォーマット変換とを実行して第２の適応信号を取得し、前記第２の適応信号を前記第２のデータ処理ユニットに送信するように適合され、
前記第２のデータ処理ユニットが、前記第２の速度適応ユニットによって送信された前記第２の適応信号を受信し、前記第２の適応信号を光伝送プロトコルに従ってファイバ伝送信号に変換し、前記ファイバ伝送信号を伝送のためにＯＤＮに送信するように適合される、
光回線ターミナル（ＯＬＴ）装置。
【請求項１０】
前記ＯＬＴ装置がギガビット受動光ネットワーク（ＧＰＯＮ）内で使用される場合に、前記第２のデータ処理ユニットは、
ＧＰＯＮプロトコルスタック内の物理層の機能を実施するように適合されたＧＰＯＮ  ＯＤＮインタフェース機能ユニットと、
前記ＧＰＯＮプロトコルスタック内の伝送コンバージェンス（ＴＣ）層の機能を実施し、前記第２の適応信号と前記ファイバ伝送信号との間のデータフォーマット変換を実行するように適合されたＰＯＮ  ＴＣ層機能ユニットと、
を特に備える、請求項９に記載のＯＬＴ装置。
【請求項１１】
前記ＯＬＴ装置がイーサネット（登録商標）受動光ネットワーク（ＥＰＯＮ）内で使用される場合に、前記第２のデータ処理ユニットは、
ＥＰＯＮプロトコルスタック内の物理層の機能を実施するように適合されたＥＰＯＮ  ＯＤＮインタフェース機能ユニットと、
前記ＥＰＯＮプロトコルスタック内のデータリンク層の機能を実施し、前記第２の適応信号と前記ファイバ伝送信号との間のデータフォーマット変換を実行するように適合されたＥＰＯＮデータリンク層機能ユニットと、
を特に備える、請求項９に記載のＯＬＴ装置。
【請求項１２】
無線ユーザの無線サービスデータを受信し、前記無線サービスデータに対して中間周波数（ＩＦ）及び／又は無線周波数（ＲＦ）処理を実行して第１のＩＦ／ＲＦ信号を取得することと、
前記第１のＩＦ／ＲＦ信号に対して速度適応とフレームフォーマット変換とを実行して第１の適応信号を取得することと、
前記第１の適応信号を光伝送プロトコルに従ってファイバ伝送信号に変換し、前記ファイバ伝送信号を光分配ネットワーク（ＯＤＮ）を介して送信することと、
前記ＯＤＮを介して送信された前記ファイバ伝送信号を別のネットワークへの伝送のために前記光伝送プロトコルに従って別の標準プロトコルの信号に変換することと、
を含む、光アクセスネットワーク（ＯＡＮ）のデータ伝送方法。
【請求項１３】
前記ＯＤＮを介して送信された前記ファイバ伝送信号を前記別の標準プロトコルの信号に変換することは、
前記ＯＤＮを介して送信された前記ファイバ伝送信号を前記光伝送プロトコルに従って第２の適応信号に変換することと、
前記第２の適応信号に対して速度適応とフレームフォーマット変換とを実行して第２のＩＦ／ＲＦ信号を取得することと、
前記第２のＩＦ／ＲＦ信号に対して、ベースバンド信号処理、及び／又は、無線データリンク層とその上位層とのデータ処理を実行して、ベースバンド信号を取得することと、
前記ベースバンド信号を別のネットワークへの伝送のために別の標準プロトコルの信号に変換することと、
を特に含む、請求項１２に記載の方法。
【請求項１４】
別のネットワークから信号を受信し、前記信号をファイバ伝送信号に変換し、前記ファイバ伝送信号を光分配ネットワーク（ＯＤＮ）を介して送信することと、
前記ＯＤＮを介して送信された前記ファイバ伝送信号を光伝送プロトコルに従って第１の適応信号に変換することと、
前記第１の適応信号に対して速度適応とフレームフォーマット変換とを実行して第１の中間周波数／無線周波数（ＩＦ／ＲＦ）信号を取得することと、
前記第１のＩＦ／ＲＦ信号を変換して無線サービスデータを取得し、前記無線サービスデータを無線ユーザに送信することと、
を含む、光アクセスネットワーク（ＯＡＮ）のデータ伝送方法。
【発明の詳細な説明】
【技術分野】
【０００１】
本発明は、光伝送の分野及び移動通信の分野に関し、特に、光アクセスネットワーク（ＯＡＮ）のデータ伝送方法、システム及び装置に関する。
【背景技術】
【０００２】
無線通信においては、無線ユーザの密度の急速な増加に伴い、無線セルラシステムの容量がますます大きくなることが要求されている。無線セルラシステムの容量を効果的に増加させるための、最も効果的な方法は、セル半径を減少させること、すなわち、マクロセルからマイクロセルに向けて発展させることである。この方法を使用することによる基地局の構築に適応するために、基地局は、通常、リモート無線ユニット（ＲＲＵ）とベースバンドユニット（ＢＢＵ）とに分割される。そのような分散基地局のＲＲＵは非常に多数存在するが、分散基地局のコストは完全な基地局のコストの一部にすぎない。従って、分散基地局の設計は、基地局構築のコストを効果的に低減させることが可能である。
【０００３】
完全な基地局は、無線データリンク層の上位層を処理するためのユニット（省略可能）と、無線データリンク層処理ユニット（省略可能）と、ＢＢＵと、中間周波数（ＩＦ）処理ユニットと、無線周波数（ＲＦ）後処理ユニットと、アンテナ及びＲＦ前処理ユニットとを含む場合がある。基地局がＲＲＵ及びＢＢＵという２つの部分に分割された後の各部分の機能は、図１に示す通りである。ＲＲＵは、アンテナ及びＲＦ前処理ユニット、ＲＦ後処理ユニット、及び／又は、ＩＦ処理ユニットを含む。これに対応して、ＢＢＵは、ＢＢＵを少なくとも含み、更に、ＩＦ処理ユニット、無線データリンク層処理ユニット（省略可能）、及び、無線データリンク層の上位層を処理するためのユニット（省略可能）を含む場合がある。図１の（ａ）に示すように、ＲＲＵがＩＦ処理ユニットを含む場合、ＲＲＵとＢＢＵとの間の相互作用は、ＩＦデジタル信号を使用することによって、時分割多重（ＴＤＭ）モードで実行される可能性がある。例えば、ＲＲＵとＢＢＵとの間の相互作用は、共通公衆無線インタフェース（ＣＰＲＩ）を使用することによって実行される。図１の（ｂ）に示すように、ＢＢＵがＩＦ処理ユニットを含む場合、ＲＲＵとＢＢＵとの間の相互作用は、ＲＦデジタル信号を使用することによって、ＴＤＭモードで実行される可能性がある。
【発明の概要】
【発明が解決しようとする課題】
【０００４】
分散基地局は、セルラシステムのネットワーク構築コストを効果的に低減させることが可能である。しかし、設計には次の問題がある。現在のところ、異なる製造業者によって製造されたＲＲＵ及びＢＢＵ装置は、相互にマッチングすることができず、インタフェースのプライベート化（ｐｒｉｖａｔｉｚａｔｉｏｎ）は深刻である。
【課題を解決するための手段】
【０００５】
本発明は、ＯＡＮシステムと、対応する光回線ターミナル（ＯＬＴ）装置と、対応する光ネットワークユニット（ＯＮＵ）／光ネットワークターミナル（ＯＮＴ）装置と、受動光ネットワーク（ＰＯＮ）データ伝送方法と、に関し、分散基地局内のＢＢＵとＲＲＵとのための統一されたマッチング可能なインタフェースを提供する。
【０００６】
一態様では、一実施形態において、本発明は、ＲＲＵと、ＯＮＵ／ＯＮＴと、光分配ネットワーク（ＯＤＮ）と、ＯＬＴ装置と、を含む、ＯＡＮシステムを提供する。ＲＲＵが、無線信号を受信し、無線信号を第１のＩＦ／ＲＦ信号に変換し、第１のＩＦ／ＲＦ信号をＯＮＵ／ＯＮＴに送信するように適合され、ＯＮＵ／ＯＮＴが、ＲＲＵから第１のＩＦ／ＲＦ信号を受信し、第１のＩＦ／ＲＦ信号をファイバ伝送信号に変換し、ファイバ伝送信号をＯＤＮに送信するように適合され、ＯＤＮが、ＯＮＵ／ＯＮＴからファイバ伝送信号を受信し、ファイバ伝送信号をＯＬＴ装置に送信するように適合され、ＯＬＴ装置が、ＯＤＮによって送信されたファイバ伝送信号を受信し、ファイバ伝送信号を別の標準プロトコルの信号に変換するように適合される。あるいは、ＯＬＴ装置が、別の標準プロトコルの信号をファイバ伝送信号に変換し、ファイバ伝送信号をＯＤＮに送信するように適合され、ＯＤＮが、ファイバ伝送信号をＯＮＵ／ＯＮＴに送信するように適合され、ＯＮＵ／ＯＮＴが、ＯＤＮによって送信されたファイバ伝送信号を受信し、ファイバ伝送信号を第１のＩＦ／ＲＦ信号に変換し、第１のＩＦ／ＲＦ信号をＲＲＵに送信するように適合され、ＲＲＵが、第１のＩＦ／ＲＦ信号を無線信号に変換し、無線信号を送信するように適合される。
【０００７】
一実施形態において、本発明は、第１の速度適応ユニットと、第１のデータ処理ユニットと、を含むＯＮＵ／ＯＮＴを更に提供する。第１の速度適応ユニットが、第１のＩＦ／ＲＦ信号を受信し、ＩＦ／ＲＦ信号に対して速度適応とフレームフォーマット変換とを実行して第１の適応信号を取得し、第１の適応信号を第１のデータ処理ユニットに送信するように適合され、第１のデータ処理ユニットが、第１の速度適応ユニットから第１の適応信号を受信し、第１の適応信号を、光伝送プロトコルに従って、ファイバ伝送信号に変換するように適合される。あるいは、第１のデータ処理ユニットが、ファイバ伝送信号を、光伝送プロトコルに従って、第１の適応信号に変換し、第１の適応信号を第１の速度適応ユニットに送信するように適合され、第１の速度適応ユニットが、第１のデータ処理ユニットによって送信された第１の適応信号を受信し、第１の適応信号に対して速度適応とフレームフォーマット変換とを実行して第１のＩＦ／ＲＦ信号を取得し、第１のＩＦ／ＲＦ信号を送信するように適合される。
また、一実施形態では、本発明は、第２のデータ処理ユニットと、第２の速度適応ユニットと、ＢＢＵと、インタフェースユニットと、を含むＯＬＴ装置を更に提供する。第２のデータ処理ユニットが、ＯＤＮからファイバ伝送信号を受信し、ファイバ伝送信号を光伝送プロトコルに従って第２の適応信号に変換し、第２の適応信号を第２の速度適応ユニットに送信するように適合され、第２の速度適応ユニットが、第２のデータ処理ユニットから第２の適応信号を受信し、第２の適応信号に対して速度適応とフレームフォーマット変換とを実行して第２のＩＦ／ＲＦ信号を取得し、第２のＩＦ／ＲＦ信号をＢＢＵに送信するように適合され、ＢＢＵが、第２の速度適応ユニットによって送信された第２のＩＦ／ＲＦ信号を受信し、第２のＩＦ／ＲＦ信号をベースバンド信号に変換し、ベースバンド信号をインタフェースユニットに送信するように適合され、インタフェースユニットが、ＢＢＵによって送信されたベースバンド信号を受信し、ベースバンド信号を別の標準プロトコルの信号に変換するように適合される。あるいは、インタフェースユニットが、別の標準プロトコルの信号を受信し、別の標準プロトコルの信号をベースバンド信号に変換し、ベースバンド信号をＢＢＵに送信するように適合され、ＢＢＵが、インタフェースユニットによって送信されたベースバンド信号を受信し、ベースバンド信号を第２のＩＦ／ＲＦ信号に変換し、第２のＩＦ／ＲＦ信号を第２の速度適応ユニットに送信するように適合され、第２の速度適応ユニットが、ＢＢＵによって送信された第２のＩＦ／ＲＦ信号を受信し、第２のＩＦ／ＲＦ信号に対して速度適応とフレームフォーマット変換とを実行して第２の適応信号を取得し、第２の適応信号を第２のデータ処理ユニットに送信するように適合され、第２のデータ処理ユニットが、第２の速度適応ユニットによって送信された第２の適応信号を受信し、第２の適応信号を光伝送プロトコルに従ってファイバ伝送信号に変換し、ファイバ伝送信号を伝送のためにＯＤＮに送信するように適合される。
【０００８】
別の態様では、一実施形態において、本発明は、ＯＡＮのデータ伝送方法を提供し、この方法は、無線ユーザの無線サービスデータを受信し、無線サービスデータに対してＩＦ及び／又はＲＦ処理を実行して第１のＩＦ／ＲＦ信号を取得することと、第１のＩＦ／ＲＦ信号に対して速度適応とフレームフォーマット変換とを実行して第１の適応信号を取得することと、第１の適応信号を光伝送プロトコルに従ってファイバ伝送信号に変換し、ファイバ伝送信号をＯＤＮを介して送信することと、ＯＤＮを介して送信されたファイバ伝送信号を別のネットワークへの伝送のために光伝送プロトコルに従って別の標準プロトコルの信号に変換することと、を含む。
一実施形態において、本発明は、ＯＡＮの別のデータ伝送方法を更に提供し、この方法は、別のネットワークから信号を受信し、信号をファイバ伝送信号に変換し、ファイバ伝送信号をＯＤＮを介して送信することと、ＯＤＮを介して送信されたファイバ伝送信号を光伝送プロトコルに従って第１の適応信号に変換することと、第１の適応信号に対して速度適応とフレームフォーマット変換とを実行して第１のＩＦ／ＲＦ信号を取得することと、第１のＩＦ／ＲＦ信号を変換して無線サービスデータを取得し、無線サービスデータを無線ユーザに送信することと、を含む。
【発明の効果】
【０００９】
本発明では、分散基地局が受動光ネットワーク（ＰＯＮ）と組み合わせられる。既存のＰＯＮ（例えば、ギガビット受動光ネットワーク（ＧＰＯＮ）及びイーサネット（登録商標）受動光ネットワーク（ＥＰＯＮ））では統一規格が確立されているため、製造業者によって提供される装置は相互にマッチングすることが可能であり、従って、ＲＲＵとＢＢＵとの間のマッチング不可能なインタフェースの問題は解決される。分散基地局内でのＰＯＮの大規模な適用は、分散基地局の迅速な工業化を促進し、セルラシステムのネットワーク構築コストを効果的に低減させることが可能である。
【図面の簡単な説明】
【００１０】
【図１】既存の分散基地局の各部の概略構成図である。
【図２】既存のＰＯＮの基準アーキテクチャの概略図である。
【図３】既存のＧＰＯＮシステムのプロトコルスタックの概略図である。
【図４】図３に示すギガビットＰＯＮ伝送コンバージェンス（ＧＴＣ）層の概略機能図である。
【図５】既存のＥＰＯＮシステムのプロトコルスタックと開放型システム間相互接続（ＯＳＩ）参照モデルとの間の関係を示す概略図である。
【図６】本発明におけるＯＡＮシステムの第１の特定の実施形態の概略図である。
【図７】図６に示すＯＮＵ／ＯＮＴの特定の実施形態の概略構成図である。
【図８】本発明における、ＧＰＯＮ内のＯＮＵ／ＯＮＴの特定の実施形態の概略構成図である。
【図９】本発明における、ＥＰＯＮ内のＯＮＵ／ＯＮＴの特定の実施形態の概略構成図である。
【図１０】図６に示すＯＬＴ装置の特定の実施形態の概略構成図である。
【図１１】本発明における、ＧＰＯＮ内のＯＬＴ装置の特定の実施形態の概略構成図である。
【図１２】本発明における、ＥＰＯＮ内のＯＬＴ装置の特定の実施形態の概略構成図である。
【図１３】本発明における、ＯＡＮシステムの第２の特定の実施形態の概略図である。
【図１４】図１３に示すＯＮＵ／ＯＮＴの特定の実施形態の概略構成図である。
【図１５】本発明におけるＯＡＮのデータ伝送方法の特定の実施形態の概略フローチャートである。
【発明を実施するための形態】
【００１１】
本発明の例示的実施形態について、添付の図面を参照して以下で詳細に説明する。添付の図面では、同じ参照番号が、異なる図面における同じ要素を示すために使用される。
【００１２】
本発明の特定の実施形態の目的は、分散基地局内のＲＲＵとＢＢＵとのための統一された標準インタフェースを提供することである。加えて、ＯＡＮにおけるＰＯＮでは、分散基地局内のＲＲＵとＢＢＵとの間のポイントツーマルチポイント接続が、ユーザアクセス端と光路終端点との間で使用されてもよい。一方、ＯＡＮでは、異なる製造業者によって製造された、ユーザアクセス端と光路終端点との間の装置が、相互にマッチングすることが可能である。従って、本発明の特定の実施形態の目的を実現するために、分散基地局はＯＡＮシステムと組み合わせられてもよい。
【００１３】
既存のＯＡＮは、能動光ネットワーク（ＡＯＮ）とＰＯＮとを主として含む。ＰＯＮの基準アーキテクチャを図２に示す。ＡＯＮのアーキテクチャはＰＯＮのアーキテクチャに類似しており、以下では、ＰＯＮのアーキテクチャのみについて説明する。ネットワーク全体は、顧客宅内ネットワーク（ＣＰＮ）と、ＰＯＮと、サービスノード機能（ＳＮＦ）とによって形成される。ＰＯＮは、中央制御局において設置されるＯＬＴ装置と、ユーザの敷地において設置される一群のＯＮＵ又はＯＮＴと、ＯＬＴ装置とＯＮＵ／ＯＮＴとの間のＯＤＮ（ファイバと受動光スプリッタ又はカプラとを含む）とを主として含む。
【００１４】
現在のところ、ＰＯＮは、ＧＰＯＮとＥＰＯＮとを主として含む。ＧＰＯＮシステムのプロトコルスタックは、図３に示されており、ＧＰＯＮ物理媒体依存層（ＧＰＭ）とＧＴＣとを含む。ＧＰＭは、ファイバ上でのＧＴＣフレームの伝送に関与し、ＯＬＴ装置とＯＮＵとの間の光伝送インタフェース（ＰＯＮインタフェースとも呼ばれる）に対応する。ＧＴＣは、ＴＣアダプタ副層及びＧＴＣフレーミング副層という２つの副層を含み、そのプロトコル構成は図４に示されている。図５は、ＥＰＯＮシステムのプロトコルスタックとＯＳＩ参照モデルとの間の関係を示す概略図である。ＥＰＯＮのプロトコル層は、データリンク層と物理層とを含む。リコンシリエーション副層（ＲＳ）は、様々なデータリンク層が、統一されたＰＯＮ物理層インタフェースを使用することを可能にするように適合される。
【００１５】
上記の既存のアクセスネットワークシステムに基づいて、本発明は、分散基地局と組み合わせられたＯＡＮシステムを、特定の実施形態において提供する。図６は、本発明におけるＯＡＮシステムの第１の特定の実施形態の概略図である。図６に示すように、本発明の第１の特定の実施形態では、ＯＡＮシステムは、ＲＲＵ１と、ＯＮＵ／ＯＮＴ２と、ＯＤＮ３と、ＯＬＴ装置４とを含む。図２に示す、ユーザ側からネットワーク側に信号が送信される場合、ＲＲＵ１は、ユーザ（例えば、移動端末などの装置）によって送信された無線信号を受信し、無線信号に対してＩＦ／ＲＦ処理を実行してその信号を第１のＩＦ／ＲＦ信号に変換し、第１のＩＦ／ＲＦ信号をＯＮＵ／ＯＮＴ２に送信するように適合され、次に、ＯＮＵ／ＯＮＴ２は、第１のＩＦ／ＲＦ信号をファイバ伝送信号に変換し、ファイバ伝送信号をＯＤＮ３を介してＯＬＴ装置４に送信し、ＯＬＴ装置４は、ファイバ伝送信号を受信し、その信号を別の標準プロトコルの信号に変換する。別の標準プロトコルの信号は、様々なコンバージェンスネットワークを介して送信されることが可能な信号であってもよい。
【００１６】
ネットワーク側からユーザ側に信号が送信される場合、ＯＬＴ装置４は、別の標準プロトコルの信号をファイバ伝送信号に変換し、ファイバ伝送信号をＯＤＮ３を介してＯＮＵ／ＯＮＴ２に送信するように適合され、次に、ＯＮＵ／ＯＮＴ２は、ファイバ伝送信号を第１のＩＦ／ＲＦ信号に変換し、第１のＩＦ／ＲＦ信号をＲＲＵ１に送信し、次に、ＲＲＵ１は、第１のＩＦ／ＲＦ信号を無線信号に変換し、無線信号を送信する。上記のＯＡＮシステムは、具体的には、ＧＰＯＮ又はＥＰＯＮであってもよく、ＡＯＮであってもよい。ＯＡＮシステムがＡＯＮである場合、ＯＮＵ／ＯＮＴ、ＯＤＮ、及びＯＬＴ装置は、ＡＯＮにおける対応する装置である。
【００１７】
本発明の実施形態におけるＯＡＮシステムの技術的解決法について、上記で具体的に詳述した。本発明の一実施形態における光ネットワーク装置とＯＬＴとについて、以下で具体的に説明する。
【００１８】
本発明の実施形態において、光ネットワーク装置は、ＯＮＵ／ＯＮＴであってもよい。図７に示すように、ＯＮＵ／ＯＮＴは、第１の速度適応ユニット２００と、第１のデータ処理ユニット２０２と、を特に含んでもよい。ユーザ側からネットワーク側に信号が送信される場合、第１の速度適応ユニット２００は、ＲＲＵ１から第１のＩＦ／ＲＦ信号を受信し、ＩＦ／ＲＦ信号に対して速度適応とフレームフォーマット変換とを実行して第１の適応信号を取得し、第１の適応信号を第１のデータ処理ユニット２０２に送信するように適合され、次に、第１のデータ処理ユニット２０２は、受信した第１の適応信号を光伝送プロトコルに従ってファイバ伝送信号に変換する。ネットワーク側からユーザ側に信号が送信される場合、第１のデータ処理ユニット２０２は、ファイバ伝送信号を光伝送プロトコルに従って第１の適応信号に変換し、第１の適応信号を第１の速度適応ユニット２００に送信するように適合され、次に、第１の速度適応ユニット２００は、受信した第１の適応信号に対して速度適応とフレームフォーマット変換とを実行して第１のＩＦ／ＲＦ信号を取得し、第１のＩＦ／ＲＦ信号をＲＲＵ１に送信する。
【００１９】
ＧＰＯＮネットワークにおける、図７のＯＮＵ／ＯＮＴの特定の構成を図８に示す。第１の速度適応ユニット２２０は、ＲＲＵ１からの無線サービスデータの速度をＧＰＯＮ伝送速度に適応させ、フレームフォーマット間の変換を実行する。その特定の機能について、以下で説明する。
【００２０】
ＴＤＭオーバＧＥＭのために、第１の速度適応ユニット２２０は、無線サービスデータ速度をＧＰＯＮ伝送速度に適応させる必要がある。データサンプリング速度の変換回路、先入れ先出し（ＦＩＦＯ）構成を有するクロックドメイン変換回路、又はサンプリング変換フィルタが、ＰＯＮ伝送速度ＴＤＭ２と、ＲＲＵ１のＩＦ又はＲＦインタフェースのサンプリング速度ＴＤＭ１との間の速度変換を実施するために使用されてもよい。一方、第１の速度適応ユニット２２０は、更に、ＰＯＮ伝送のＴＤＭ２フレームフォーマットと、ＲＲＵ１によって使用されるＴＤＭ１フレームフォーマットとの間の変換を実行しなければならない可能性がある。
【００２１】
同期デジタルハイアラーキ（ＳＤＨ）オーバＧＥＭのために、第１の速度適応ユニット２２０は、無線サービスデータ速度をＧＰＯＮ伝送速度に適応させる必要があり（特定の実装は上記で説明したものと同じである）、更に、例えばＲＲＵ１がＣＰＲＩフレームフォーマットを使用する場合、ＳＤＨフレームフォーマットと、ＲＲＵ１によって使用されるＴＤＭ１フレームフォーマットとの間の変換を実行する必要がある。
【００２２】
イーサネット（登録商標）オーバＧＥＭのために、第１の速度適応ユニット２２０は、無線サービスデータ速度をＧＰＯＮ伝送速度に適応させる必要があり（特定の実装は上記で説明したものと同じである）、更に、ＴＤＭオーバイーサネット（登録商標）のカプセル化及びデカプセル化を実行する必要がある。ＴＤＭオーバイーサネット（登録商標）は、パケット交換ネットワーク上の回線エミュレーションサービス（ＣＥＳ  ｏｖｅｒ  ＰＳＮ）及び疑似回線エッジツーエッジエミュレーション（ＰＷＥ３）という２つの技術を使用してもよい。
【００２３】
インターネットプロトコル（ＩＰ）オーバＧＥＭのために、第１の速度適応ユニット２２０は、無線サービスデータ速度をＧＰＯＮ伝送速度に適応させる必要があり（特定の実装は上記で説明したものと同じである）、更に、ＴＤＭオーバＩＰのカプセル化及びデカプセル化を実行する必要がある。
【００２４】
一方、図８に示す、ＯＮＵ／ＯＮＴの第１のデータ処理ユニットは、ＰＯＮ伝送コンバージェンス（ＴＣ）層機能ユニット２２２と、ＧＰＯＮ  ＯＤＮインタフェース機能ユニット（例えば、図に示すＯＤＮインタフェース機能ユニット２２４）とを含む。ＰＯＮ  ＴＣ層機能ユニット２２２は、ＧＰＯＮプロトコルスタック内のＧＰＯＮ  ＴＣ層の機能を実施し、第１の適応信号とファイバ伝送信号との間のデータフォーマット変換を実行する。ＯＤＮインタフェース機能ユニット２２４は、ＧＰＯＮプロトコルスタック内の物理層の機能、すなわち、ＧＰＭ層の機能を実施する。
【００２５】
ＥＰＯＮネットワークにおける、図７のＯＮＵ／ＯＮＴ２の特定の構成を図９に示す。第１の速度適応ユニット２４１は、ＲＲＵ１の無線サービスデータ速度をＰＯＮ伝送速度に適応させる必要があるだけでなく（その特定の実装は、第１の速度適応ユニット２２０で説明したものと同じである）、ＴＤＭオーバイーサネット（登録商標）のカプセル化及びデカプセル化も実行する必要がある。ＴＤＭオーバイーサネット（登録商標）は、ＣＥＳ  ｏｖｅｒ  ＰＳＮ及びＰＷＥ３という２つの技術を使用してもよい。
【００２６】
一方、図９に示す、ＯＮＵ／ＯＮＴの第１のデータ処理ユニットは、ＥＰＯＮデータリンク層機能ユニット２４２と、ＥＰＯＮ  ＯＤＮインタフェース機能ユニット（例えば、図に示すＯＤＮインタフェース機能ユニット２４４）とを含む。ＥＰＯＮデータリンク層機能ユニット２４２は、ＥＰＯＮプロトコルスタック内のデータリンク層の機能を実施し、第１の適応信号とファイバ伝送信号との間のデータフォーマット変換を実行するように適合される。ＯＤＮインタフェース機能ユニット２４４は、ＥＰＯＮプロトコルスタック内の物理層の機能を実施するように適合される。
【００２７】
本発明の実施形態における、ＯＬＴ装置の特定の構成を図１０に示す。ＯＬＴ装置は、第２のデータ処理ユニット４０と、第２の速度適応ユニット４２と、ＢＢＵ４４と、インタフェースユニット４６とを含む。ユーザ側からネットワーク側に信号が送信される場合、第２のデータ処理ユニット４０は、ＯＤＮ３からファイバ伝送信号を受信し、ファイバ伝送信号を光伝送プロトコルに従って第２の適応信号に変換し、次に、第２の適応信号を第２の速度適応ユニット４２に送信するように適合され、次に、第２の速度適応ユニット４２は、第２の適応信号に対して速度適応とフレームフォーマット変換とを実行して第２のＩＦ／ＲＦ信号を取得し、第２のＩＦ／ＲＦ信号をＢＢＵ４４に送信し、次に、ＢＢＵ４４は、第２のＩＦ／ＲＦ信号をベースバンド信号に変換し、ベースバンド信号をインタフェースユニット４６に送信し、次に、インタフェースユニット４６は、ベースバンド信号を別の標準プロトコルの信号に変換する。
【００２８】
ネットワーク側からユーザ側に信号が送信される場合、インタフェースユニット４６は、別の標準プロトコルの信号を受信し、別の標準プロトコルの信号をベースバンド信号に変換し、ベースバンド信号をＢＢＵ４４に送信するように適合され、ＢＢＵ４４は、ベースバンド信号を第２のＩＦ／ＲＦ信号に変換し、第２のＩＦ／ＲＦ信号を第２の速度適応ユニット４２に送信し、第２の速度適応ユニット４２は、第２のＩＦ／ＲＦ信号に対して速度適応とフレームフォーマット変換とを実行して第２の適応信号を取得し、第２の適応信号を第２のデータ処理ユニット４０に送信し、第２のデータ処理ユニット４０は、第２の適応信号を光伝送プロトコルに従ってファイバ伝送信号に変換し、ファイバ伝送信号をＯＤＮ３に送信する。
【００２９】
インタフェースユニット４６は、ＴＲ１０１規格で規定された、アクセスノード（ＡＮ）、ブロードバンドリモートアクセスサーバ（ＢＲＡＳ）、又はブロードバンドネットワークゲートウェイ（ＢＮＧ）によって実現される機能を特に実施してもよい。
【００３０】
ＧＰＯＮネットワークにおける、図１０のＯＬＴ装置の特定の構成は、図１１で示されてもよい。ＯＬＴ装置は、第２のデータ処理ユニット（図１１に示すように、第２のデータ処理ユニットは、図に示すＯＤＮインタフェース機能ユニット４００などのＧＰＯＮ  ＯＤＮインタフェース機能ユニットと、ＰＯＮ  ＴＣ層機能ユニット４０１と、を含む）と、第２の速度適応ユニット４０２と、ＢＢＵ４０３と、インタフェースユニットとを含む。図１１におけるインタフェースユニットは、具体的には、ＴＲ１０１  ＡＮフォワーディング適応ユニット４０４又はＩＰエッジノード処理ユニット４０５であってもよい。
【００３１】
ＯＤＮインタフェース機能ユニット４００及びＰＯＮ  ＴＣ層機能ユニット４０１の特定の機能は、図８の、ＯＮＵ／ＯＮＴ２２内のＯＤＮインタフェース機能ユニット２２４及びＰＯＮ  ＴＣ層機能ユニット２２２の機能に類似している。ＯＤＮインタフェース機能ユニット４００及びＰＯＮ  ＴＣ層機能ユニット４０１は、それぞれ、ＧＰＯＮプロトコルスタック内の、ＧＰＭ層の関連する機能及びＧＰＯＮ  ＴＣ層の機能を実施するように適合される。
【００３２】
第２の速度適応ユニット４０２は、ＲＲＵ１のデータとＰＯＮ伝送速度との間の及びフレームフォーマット間の適応及び変換を実施し、これはやはり、ＴＤＭオーバＧＥＭ、ＳＤＨオーバＧＥＭ、イーサネット（登録商標）オーバＧＥＭ、及びＩＰオーバＧＥＭの場合を含む。第２の速度適応ユニット４０２のフレームフォーマット間の変換と速度適応とは、図７の第１の速度適応ユニット２００で説明したものに類似している。
【００３３】
ＴＲ１０１  ＡＮフォワーディング適応ユニット４０４又はＩＰエッジノード処理ユニット４０５は、図１０のインタフェースユニット４６に対応し、ＴＲ１０１で規定された、ＡＮ、ＢＲＡＳ、又はＢＮＧによって実現される機能を実施するように適合される。ユニット間の選択は、ＯＬＴ装置４０に接続されるネットワークによって異なる。
【００３４】
ＥＰＯＮネットワークにおける、図１０のＯＬＴ装置の特定の構成を図１２に示す。ＯＬＴ装置は、第２のデータ処理ユニット（図１２に示すように、第２のデータ処理ユニットは、図に示すＯＤＮインタフェース機能ユニット４２０などのＥＰＯＮ  ＯＤＮインタフェース機能ユニットと、ＥＰＯＮデータリンク層ユニット４２１とを含む）と、第２の速度適応ユニット４２２と、ＢＢＵ４２３と、ＴＲ１０１  ＡＮフォワーディング適応ユニット４２４又はＩＰエッジノード処理ユニット４２５と、を含む。
【００３５】
ＯＤＮインタフェース機能ユニット４２０及びＥＰＯＮデータリンク層ユニット４２１の特定の機能は、図９のＯＮＵ／ＯＮＴ２４内のＯＤＮインタフェース機能ユニット２４４及びＥＰＯＮデータリンク層ユニット２４２の機能に類似している。ＯＤＮインタフェース機能ユニット４２０及びＥＰＯＮデータリンク層ユニット４２１はそれぞれ、ＥＰＯＮプロトコルスタック内の物理層の関連する機能及びデータリンク層の機能を実施するように適合される。
【００３６】
第２の速度適応ユニット４２２は、ＲＲＵ１のデータとＰＯＮ伝送速度との間及びフレームフォーマット間の適応及び変換を実施し、第２の速度適応ユニット４２２のフレームフォーマット間の変換と速度適応とは、図８の第１の速度適応ユニット２２０で説明したものに類似している。
【００３７】
ＴＲ１０１  ＡＮフォワーディング適応ユニット４２４又はＩＰエッジノード処理ユニット４２５は、図１０のインタフェースユニット４６に対応しており、ＴＲ１０１規格で規定されたＡＮ、ＢＲＡＳ、又はＢＮＧによって実現される機能を実施するように適合される。ユニット間の選択は、ＯＬＴ装置４２に接続されるネットワークによって異なる。
【００３８】
図１３は、本発明におけるＯＡＮシステムの第２の特定の実施形態の概略図である。図に示すように、この実施形態と、図６に示すＰＯＮシステムとの間の違いは、ＲＲＵとＯＮＵ／ＯＮＴとが統合されて、同じ装置内に設置されてもよいという点にあり、例えば、この実施形態では、ＲＲＵはＯＮＵ／ＯＮＴ内に設置されている。システム内のその他の部分の構成及び機能は変化しない。従って、システム内のその他の部分の構成及び機能については、ここでは説明せず、ＯＮＵ／ＯＮＴの機能のみについて説明する。
【００３９】
図１４は、図１３に示すＯＮＵ／ＯＮＴの概略構成図である。ＯＮＵ／ＯＮＴは、ＲＲＵ２６０と、第１の速度適応ユニット２６２と、第１のデータ処理ユニット２６４とを含む。ＲＲＵ２６０の特定の機能は、図６のＲＲＵ１の機能と同一である。第１の速度適応ユニット２６２及び第１のデータ処理ユニット２６４の特定の機能、並びに、ＧＰＯＮ及びＥＰＯＮ内でのそれらの特定の構成はそれぞれ、図７の第１の速度適応ユニット２００及び第１のデータ処理ユニット２０２のものと同一である。
【００４０】
図６及び図１３に示すＯＡＮシステムにおいて、第２のＩＦ／ＲＦ信号とベースバンド信号との間の変換を実行するためのＯＬＴ装置の機能は、図１に示すＯＬＴ装置から独立したＢＢＵを使用して実現されてもよく、ＯＬＴ装置内のインタフェースユニットは、それに続くＢＢＵ又は別のネットワークとインタフェースする機能を実施する。独立したＢＢＵは、ここでは説明しない、第２のＩＦ／ＲＦ信号とベースバンド信号との間の変換の機能を有さないＯＬＴ装置に続いてもよい。
【００４１】
本発明におけるＯＡＮのデータ伝送方法の特定の実施形態について、以下で詳細に説明する。図１５を参照すると、この方法の特定の実施形態は、ユーザ側からネットワーク側に信号が送信される場合について説明する。方法は、以下のステップを特に含む。
【００４２】
ステップＳ１５０１で、無線ユーザの無線サービスデータが受信され、無線サービスデータに対してＩＦ及び／又はＲＦ処理が実行されて、第１のＩＦ／ＲＦ信号が取得される。
【００４３】
ステップＳ１５０２で、第１のＩＦ／ＲＦ信号に対して、速度適応とフレームフォーマット変換とが実行されて、第１の適応信号が取得される。異なる特定の実装ネットワークに応じて、第１のＩＦ／ＲＦ信号はＴＤＭ１フォーマットであってもよく、第１の適応信号はＴＤＭ２、ＳＤＨ、ＥＴＨ、又はその他のフォーマットであってもよく、その場合、ＴＤＭ１から、ＴＤＭ２、ＳＤＨ、ＥＴＨ、又はその他のフォーマットへの速度適応とフレームフォーマット変換とが実行される必要がある。この実装及び適用例については、図７で説明した第１の速度適応ユニット２００の特定の機能の実装及び適用例が参照されてもよく、従ってここでは説明しない。
【００４４】
ステップＳ１５０３で、第１の適応信号は光伝送プロトコルに従ってファイバ伝送信号に変換される。この実装及び適用例については、図７で説明した第１のデータ処理ユニット２０２の特定の機能の実装及び適用例が参照されてもよく、従ってここでは説明しない。
【００４５】
ステップＳ１５０４で、ファイバ伝送信号は、ＯＤＮを介して送信される。
【００４６】
ステップＳ１５０５で、ＯＤＮを介して送信されたファイバ伝送信号は、光伝送プロトコルに従って第２の適応信号に変換される。この実装及び適用例については、図１０で説明した第２のデータ処理ユニット４０の特定の機能の実装及び適用例が参照されてもよく、従ってここでは説明しない。
【００４７】
ステップＳ１５０６で、第２の適応信号に対して速度適応とフレームフォーマット変換とが実行されて、第２のＩＦ／ＲＦ信号が取得される。この実装及び適用例については、図１０で説明した第２の速度適応ユニット４２の特定の機能の実装及び適用例が参照されてもよく、従ってここでは説明しない。
【００４８】
ステップＳ１５０７で、第２のＩＦ／ＲＦ信号に対して、ベースバンド信号処理、及び／又は、無線データリンク層とその上位層とのデータ処理が実行されて、ベースバンド信号が取得される。
【００４９】
ステップＳ１５０８で、ベースバンド信号は、別のネットワークへの伝送のために、別の標準プロトコルの信号に変換される。
【００５０】
本発明におけるＯＡＮのデータ伝送方法の別の特定の実施形態では、ネットワーク側からユーザ側に信号が送信される場合が説明される。方法は、以下のステップを特に含んでもよい。
【００５１】
ａ．別のネットワークからの別の標準プロトコルの信号が受信され、ベースバンド信号に変換される。
【００５２】
ｂ．ベースバンド信号に対して、ベースバンド信号処理、及び／又は、無線データリンク層とその上位層とのデータ処理が実行されて、第２のＩＦ／ＲＦ信号が取得される。
【００５３】
ｃ．第２のＩＦ／ＲＦ信号に対して速度適応とフレームフォーマット変換とが実行されて、第２の適応信号が取得される。この実装及び適用例については、図１０で説明した第２の速度適応ユニット４２の特定の機能の実装及び適用例が参照されてもよく、従ってここでは説明しない。
【００５４】
ｄ．次に、第２の適応信号は、光伝送プロトコルに従って、ファイバ伝送信号に変換される。この実装及び適用例については、図１０で説明した第２のデータ処理ユニット４０の特定の機能の実装及び適用例が参照されてもよく、従ってここでは説明しない。
【００５５】
ｅ．ファイバ伝送信号は、ＯＤＮを介して送信される。
【００５６】
ｆ．ＯＤＮを介して送信されたファイバ伝送信号は、光伝送プロトコルに従って、第１の適応信号に変換される。この実装及び適用例については、図７で説明した第１のデータ処理ユニット２０２の実装及び適用例が参照されてもよく、従ってここでは説明しない。
【００５７】
ｇ．第１の適応信号に対して速度適応とフレームフォーマット変換とが実行されて、第１のＩＦ／ＲＦ信号が取得される。この実装及び適用例については、図７で説明した第１の速度適応ユニット２００の特定の機能の実装及び適用例が参照されてもよく、従ってここでは説明しない。
【００５８】
ｈ．第１のＩＦ／ＲＦ信号は変換されて、無線ユーザに送信されることが可能な無線サービスデータが取得され、無線サービスデータは無線ユーザに送信される。
【００５９】
上述のように、既存のＯＡＮシステム（例えば、ＧＰＯＮ及びＥＰＯＮ）では一連の工業規格が確立されており、異なる製造業者によって製造された装置は相互にマッチングすることが可能である。これにより、ＲＲＵとＢＢＵとの間の異なる製造業者によって製造されたマッチング不可能な装置の問題は、分散基地局とＯＡＮシステムとの組み合わせ、すなわち、ＲＲＵ及びＢＢＵとＯＡＮにおける対応する装置との組み合わせを介して、ＯＡＮにおける規格化されたインタフェースを使用してＲＲＵとＢＢＵとを接続することによって解決される。分散基地局内でのＯＡＮの大規模な適用は、分散基地局の迅速な工業化を促進し、セルラシステムのネットワーク構築コストを効果的に低減させることが可能である。
【００６０】
上記の開示は、本発明の例示的実施形態にすぎず、本発明の範囲を限定することを意図するものでは決してない。本発明の特許請求の範囲に従って行われるいかなる均等な変形も、本発明の範囲に入る。
本出願は、２００７年１２月５日出願の「ＤＡＴＡ  ＴＲＡＮＳＭＩＳＳＩＯＮ  ＭＥＴＨＯＤ  ＯＦ  ＯＰＴＩＣＡＬ  ＡＣＣＥＳＳ  ＮＥＴＷＯＲＫ  ＡＮＤ  ＳＹＳＴＥＭ  ＡＮＤ  ＤＥＶＩＣＥ  ＴＨＥＲＥＯＦ（光アクセスネットワークのデータ伝送方法、システム及び装置）」と題された中国特許出願第２００７１００３２１３２．２号の優先権の利益を主張するものであり、当該出願はその全体が参照によって本明細書中に援用される。
【図１】
2011504027.tif 000003
【図２】
2011504027.tif 000004
【図３】
2011504027.tif 000005
【図４】
2011504027.tif 000006
【図５】
2011504027.tif 000007
【図６】
2011504027.tif 000008
【図７】
2011504027.tif 000009
【図８】
2011504027.tif 000010
【図９】
2011504027.tif 000011
【図１０】
2011504027.tif 000012
【図１１】
2011504027.tif 000013
【図１２】
2011504027.tif 000014
【図１３】
2011504027.tif 000015
【図１４】
2011504027.tif 000016
【図１５】
2011504027.tif 000017
【手続補正書】
【提出日】平成22年5月12日(2010.5.12)
【手続補正１】
【補正対象書類名】明細書
【補正対象項目名】０００５
【補正方法】変更
【補正の内容】
【０００５】
本発明は、ＯＡＮシステムと、対応する光回線ターミナル（ＯＬＴ）装置と、対応する光ネットワーク装置と、受動光ネットワーク（ＰＯＮ）データ伝送方法と、に関し、分散基地局内のＢＢＵとＲＲＵとのための統一されたマッチング可能なインタフェースを提供する。
【手続補正２】
【補正対象書類名】明細書
【補正対象項目名】０００６
【補正方法】変更
【補正の内容】
【０００６】
第１の態様によれば、本発明は、ＲＲＵと、光ネットワーク装置と、光分配ネットワーク（ＯＤＮ）と、ＯＬＴ装置と、を含む、ＯＡＮシステムを提供する。ＲＲＵが、無線信号を受信し、無線信号を第１の周波数信号に変換し、第１の周波数信号を光ネットワーク装置に送信するように適合され、光ネットワーク装置が、ＲＲＵから第１の周波数信号を受信し、第１の周波数信号をファイバ伝送信号に変換し、ファイバ伝送信号をＯＤＮに送信するように適合され、ＯＤＮが、光ネットワーク装置からファイバ伝送信号を受信し、ファイバ伝送信号をＯＬＴ装置に送信するように適合され、ＯＬＴ装置が、ＯＤＮによって送信されたファイバ伝送信号を受信し、ファイバ伝送信号を別の標準プロトコルの信号に変換するように適合される。あるいは、ＯＬＴ装置が、別の標準プロトコルの信号をファイバ伝送信号に変換し、ファイバ伝送信号をＯＤＮに送信するように適合され、ＯＤＮが、ファイバ伝送信号を光ネットワーク装置に送信するように適合され、光ネットワーク装置が、ＯＤＮによって送信されたファイバ伝送信号を受信し、ファイバ伝送信号を第１の周波数信号に変換し、第１の周波数信号をＲＲＵに送信するように適合され、ＲＲＵが、第１の周波数信号を無線信号に変換し、無線信号を送信するように適合される。
【手続補正３】
【補正対象書類名】明細書
【補正対象項目名】０００７
【補正方法】変更
【補正の内容】
【０００７】
第２の態様によれば、本発明は、第１の速度適応ユニットと、第１のデータ処理ユニットと、を含む光ネットワーク装置を更に提供する。第１の速度適応ユニットが、第１の周波数信号を受信し、第１の周波数信号に対して速度適応とフレームフォーマット変換とを実行して第１の適応信号を取得し、第１の適応信号を第１のデータ処理ユニットに送信するように適合され、第１のデータ処理ユニットが、第１の速度適応ユニットから第１の適応信号を受信し、第１の適応信号を、光伝送プロトコルに従って、ファイバ伝送信号に変換するように適合される。あるいは、第１のデータ処理ユニットが、ファイバ伝送信号を、光伝送プロトコルに従って、第１の適応信号に変換し、第１の適応信号を第１の速度適応ユニットに送信するように適合され、第１の速度適応ユニットが、第１のデータ処理ユニットによって送信された第１の適応信号を受信し、第１の適応信号に対して速度適応とフレームフォーマット変換とを実行して第１の周波数信号を取得し、第１の周波数信号を送信するように適合される。
また、第３の態様によれば、本発明は、第２のデータ処理ユニットと、第２の速度適応ユニットと、ＢＢＵと、インタフェースユニットと、を含むＯＬＴ装置を更に提供する。第２のデータ処理ユニットが、ＯＤＮからファイバ伝送信号を受信し、ファイバ伝送信号を光伝送プロトコルに従って第２の適応信号に変換し、第２の適応信号を第２の速度適応ユニットに送信するように適合され、第２の速度適応ユニットが、第２のデータ処理ユニットから第２の適応信号を受信し、第２の適応信号に対して速度適応とフレームフォーマット変換とを実行して第２の周波数信号を取得し、第２の周波数信号をＢＢＵに送信するように適合され、ＢＢＵが、第２の速度適応ユニットによって送信された第２の周波数信号を受信し、第２の周波数信号をベースバンド信号に変換し、ベースバンド信号をインタフェースユニットに送信するように適合され、インタフェースユニットが、ＢＢＵによって送信されたベースバンド信号を受信し、ベースバンド信号を別の標準プロトコルの信号に変換するように適合される。あるいは、インタフェースユニットが、別の標準プロトコルの信号を受信し、別の標準プロトコルの信号をベースバンド信号に変換し、ベースバンド信号をＢＢＵに送信するように適合され、ＢＢＵが、インタフェースユニットによって送信されたベースバンド信号を受信し、ベースバンド信号を第２の周波数信号に変換し、第２の周波数信号を第２の速度適応ユニットに送信するように適合され、第２の速度適応ユニットが、ＢＢＵによって送信された第２の周波数信号を受信し、第２の周波数信号に対して速度適応とフレームフォーマット変換とを実行して第２の適応信号を取得し、第２の適応信号を第２のデータ処理ユニットに送信するように適合され、第２のデータ処理ユニットが、第２の速度適応ユニットによって送信された第２の適応信号を受信し、第２の適応信号を光伝送プロトコルに従ってファイバ伝送信号に変換し、ファイバ伝送信号を伝送のためにＯＤＮに送信するように適合される。
【手続補正４】
【補正対象書類名】明細書
【補正対象項目名】０００８
【補正方法】変更
【補正の内容】
【０００８】
第４の態様によれば、本発明は、ＯＡＮのデータ伝送方法を提供し、この方法は、無線ユーザの無線サービスデータを受信し、無線サービスデータに対して周波数処理を実行して第１の周波数信号を取得することと、第１の周波数信号に対して速度適応とフレームフォーマット変換とを実行して第１の適応信号を取得することと、第１の適応信号を光伝送プロトコルに従ってファイバ伝送信号に変換し、ファイバ伝送信号をＯＤＮを介して送信することと、ＯＤＮを介して送信されたファイバ伝送信号を別のネットワークへの伝送のために光伝送プロトコルに従って別の標準プロトコルの信号に変換することと、を含む。
【手続補正５】
【補正対象書類名】明細書
【補正対象項目名】００６０
【補正方法】変更
【補正の内容】
【００６０】
上記の開示は、本発明の例示的実施形態にすぎず、本発明の範囲を限定することを意図するものでは決してない。本発明の特許請求の範囲に従って行われるいかなる均等な変形も、本発明の範囲に入る。
【手続補正６】
【補正対象書類名】特許請求の範囲
【補正対象項目名】全文
【補正方法】変更
【補正の内容】
【特許請求の範囲】
【請求項１】
リモート無線ユニット（ＲＲＵ）と、
光ネットワーク装置と、
光分配ネットワーク（ＯＤＮ）と、
光回線ターミナル（ＯＬＴ）装置と、
を備え、
前記ＲＲＵが、無線信号を受信し、前記無線信号を第１の周波数信号に変換し、前記第１の周波数信号を前記光ネットワーク装置に送信するように適合され、
前記光ネットワーク装置が、前記ＲＲＵから前記第１の周波数信号を受信し、前記第１の周波数信号をファイバ伝送信号に変換し、前記ファイバ伝送信号を前記ＯＤＮに送信するように適合され、
前記ＯＤＮが、前記光ネットワーク装置によって送信された前記ファイバ伝送信号を前記ＯＬＴ装置に送信するように適合され、
前記ＯＬＴ装置が、前記ＯＤＮによって送信された前記ファイバ伝送信号を受信し、前記ファイバ伝送信号を別の標準プロトコルの信号に変換するように適合されるか、又は、
前記ＯＬＴ装置が、別の標準プロトコルの信号をファイバ伝送信号に変換し、前記ファイバ伝送信号を伝送のために前記ＯＤＮに送信するように適合され、
前記ＯＤＮが、前記ファイバ伝送信号を前記光ネットワーク装置に送信するように適合され、
前記光ネットワーク装置が、前記ＯＤＮによって送信された前記ファイバ伝送信号を受信し、前記ファイバ伝送信号を第１の周波数信号に変換し、前記第１の周波数信号を前記ＲＲＵに送信するように適合され、
前記ＲＲＵが、前記第１の周波数信号を無線信号に変換し、前記無線信号を送信するように適合される、
光アクセスネットワーク（ＯＡＮ）システム。
【請求項２】
前記光ネットワーク装置は、第１の速度適応ユニットと、第１のデータ処理ユニットと、を備え、
前記第１の速度適応ユニットが、前記ＲＲＵから前記第１の周波数信号を受信し、前記周波数信号に対して速度適応とフレームフォーマット変換とを実行して第１の適応信号を取得し、前記第１の適応信号を前記第１のデータ処理ユニットに送信するように適合され、
前記第１のデータ処理ユニットが、前記第１の速度適応ユニットから前記第１の適応信号を受信し、前記第１の適応信号を光伝送プロトコルに従って前記ファイバ伝送信号に変換するように適合されるか、又は、
前記第１のデータ処理ユニットが、前記ファイバ伝送信号を光伝送プロトコルに従って第１の適応信号に変換し、前記第１の適応信号を前記第１の速度適応ユニットに送信するように適合され、
前記第１の速度適応ユニットが、前記第１の適応信号を受信し、前記第１の適応信号に対して速度適応とフレームフォーマット変換とを実行して前記第１の周波数信号を取得し、前記第１の周波数信号を前記ＲＲＵに送信するように適合される、
請求項１に記載のシステム。
【請求項３】
前記光ネットワーク装置が光ネットワークユニット（ＯＮＵ）と光ネットワーク端末（ＯＮＴ）とを備え、
前記ＲＲＵと前記光ネットワーク装置とが統合されて同じ装置内に設置されている、請求項１に記載のシステム。
【請求項４】
前記ＯＬＴ装置は、第２のデータ処理ユニットと、第２の速度適応ユニットと、ベースバンドユニット（ＢＢＵ）と、インタフェースユニットと、を備え、
前記第２のデータ処理ユニットが、前記ＯＤＮから前記ファイバ伝送信号を受信し、前記ファイバ伝送信号を光伝送プロトコルに従って第２の適応信号に変換し、前記第２の適応信号を前記第２の速度適応ユニットに送信するように適合され、
前記第２の速度適応ユニットが、前記第２のデータ処理ユニットから前記第２の適応信号を受信し、前記第２の適応信号に対して速度適応とフレームフォーマット変換とを実行して第２の周波数Ｆ信号を取得し、前記第２の周波数信号を前記ＢＢＵに送信するように適合され、
前記ＢＢＵが、前記第２の速度適応ユニットによって送信された前記第２の周波数信号を受信し、前記第２の周波数信号をベースバンド信号に変換し、前記ベースバンド信号を前記インタフェースユニットに送信するように適合され、
前記インタフェースユニットが、前記ＢＢＵによって送信された前記ベースバンド信号を受信し、前記ベースバンド信号を別の標準プロトコルの信号に変換するように適合されるか、又は、
前記インタフェースユニットが、別の標準プロトコルの信号を受信し、前記別の標準プロトコルの信号をベースバンド信号に変換し、前記ベースバンド信号を前記ＢＢＵに送信するように適合され、
前記ＢＢＵが、前記インタフェースユニットによって送信された前記ベースバンド信号を受信し、前記ベースバンド信号を第２の周波数信号に変換し、前記第２の周波数信号を前記第２の速度適応ユニットに送信するように適合され、
前記第２の速度適応ユニットが、前記ＢＢＵによって送信された前記第２の周波数信号を受信し、前記第２の周波数信号に対して速度適応とフレームフォーマット変換とを実行して第２の適応信号を取得し、前記第２の適応信号を前記第２のデータ処理ユニットに送信するように適合され、
前記第２のデータ処理ユニットが、前記第２の速度適応ユニットによって送信された前記第２の適応信号を受信し、前記第２の適応信号を光伝送プロトコルに従って前記ファイバ伝送信号に変換し、前記ファイバ伝送信号を前記ＯＤＮに送信するように適合される、
請求項１に記載のシステム。
【請求項５】
リモート無線ユニット（ＲＲＵ）と、
第１の速度適応ユニットと、
第１のデータ処理ユニットと、
を備え、
前記ＲＲＵが、無線信号を受信し、前記無線信号を第１の周波数信号に変換し、前記第１の周波数信号を前記第１の速度適応ユニットに送信するように適合され、
前記第１の速度適応ユニットが、第１の周波数信号を受信し、前記第１の周波数信号に対して速度適応とフレームフォーマット変換とを実行して第１の適応信号を取得し、前記第１の適応信号を前記第１のデータ処理ユニットに送信するように適合され、
前記第１のデータ処理ユニットが、前記第１の速度適応ユニットから前記第１の適応信号を受信し、前記第１の適応信号を光伝送プロトコルに従ってファイバ伝送信号に変換するように適合される、
光ネットワーク装置。
【請求項６】
前記第１のデータ処理ユニットが更に、ファイバ伝送信号を光伝送プロトコルに従って第１の適応信号に変換し、前記第１の適応信号を前記第１の速度適応ユニットに送信するように適合され、
前記第１の速度適応ユニットが更に、前記第１のデータ処理ユニットによって送信された前記第１の適応信号を受信し、前記第１の適応信号に対して速度適応とフレームフォーマット変換とを実行して第１の周波数信号を取得し、前記第１の周波数信号を送信するように適合され、
前記ＲＲＵが更に、前記第１の速度適応ユニットによって送信された前記第１の周波数信号を受信し、前記第１の周波数信号を無線信号に変換し、前記無線信号を送信するように適合される、
請求項５に記載の光ネットワーク装置。
【請求項７】
前記光ネットワーク装置がギガビット受動光ネットワーク（ＧＰＯＮ）内で使用される場合に、前記第１のデータ処理ユニットは、
ＧＰＯＮプロトコルスタック内の伝送コンバージェンス（ＴＣ）層の機能を実施し、前記第１の適応信号と前記ファイバ伝送信号との間のデータフォーマット変換を実行するように適合されたＰＯＮ  ＴＣ層機能ユニットと、
前記ＧＰＯＮプロトコルスタック内の物理層の機能を実施し、前記ＰＯＮ  ＴＣ層機能ユニットによって処理されたデータのＯＤＮのファイバ上での伝送に関与するように適合されたＧＰＯＮ光分配ネットワーク（ＯＤＮ）インタフェース機能ユニットと、
を特に備える、請求項５又は６に記載の光ネットワーク装置。
【請求項８】
前記光ネットワーク装置がイーサネット（登録商標）受動光ネットワーク（ＥＰＯＮ）内で使用される場合に、前記第１のデータ処理ユニットは、
ＥＰＯＮプロトコルスタック内のデータリンク層の機能を実施し、前記第１の適応信号と前記ファイバ伝送信号との間のデータフォーマット変換を実行するように適合されたＥＰＯＮデータリンク層機能ユニットと、
前記ＥＰＯＮプロトコルスタック内の物理層の機能を実施し、前記ＥＰＯＮデータリンク層機能ユニットによって処理されたデータのＯＤＮのファイバ上での伝送に関与するように適合されたＥＰＯＮ  ＯＤＮインタフェース機能ユニットと、
を特に備える、請求項５又は６に記載の光ネットワーク装置。
【請求項９】
第２のデータ処理ユニットと、
第２の速度適応ユニットと、
ベースバンドユニット（ＢＢＵ）と、
インタフェースユニットと、
を備え、
前記第２のデータ処理ユニットが、光分配ネットワーク（ＯＤＮ）からファイバ伝送信号を受信し、前記ファイバ伝送信号を光伝送プロトコルに従って第２の適応信号に変換し、前記第２の適応信号を前記第２の速度適応ユニットに送信するように適合され、
前記第２の速度適応ユニットが、前記第２のデータ処理ユニットから前記第２の適応信号を受信し、前記第２の適応信号に対して速度適応とフレームフォーマット変換とを実行して第２の周波数信号を取得し、前記第２の周波数信号を前記ＢＢＵに送信するように適合され、
前記ＢＢＵが、前記第２の速度適応ユニットによって送信された前記第２の周波数信号を受信し、前記第２の周波数信号をベースバンド信号に変換し、前記ベースバンド信号を前記インタフェースユニットに送信するように適合され、
前記インタフェースユニットが、前記ＢＢＵによって送信された前記ベースバンド信号を受信し、前記ベースバンド信号を別の標準プロトコルの信号に変換するように適合されるか、又は、
前記インタフェースユニットが、別の標準プロトコルの信号を受信し、前記別の標準プロトコルの信号をベースバンド信号に変換し、前記ベースバンド信号を前記ＢＢＵに送信するように適合され、
前記ＢＢＵが、前記インタフェースユニットによって送信された前記ベースバンド信号を受信し、前記ベースバンド信号を第２の周波数信号に変換し、前記第２の周波数信号を前記第２の速度適応ユニットに送信するように適合され、
前記第２の速度適応ユニットが、前記ＢＢＵによって送信された前記第２の周波数信号を受信し、前記第２の周波数信号に対して速度適応とフレームフォーマット変換とを実行して第２の適応信号を取得し、前記第２の適応信号を前記第２のデータ処理ユニットに送信するように適合され、
前記第２のデータ処理ユニットが、前記第２の速度適応ユニットによって送信された前記第２の適応信号を受信し、前記第２の適応信号を光伝送プロトコルに従ってファイバ伝送信号に変換し、前記ファイバ伝送信号を伝送のためにＯＤＮに送信するように適合される、
光回線ターミナル（ＯＬＴ）装置。
【請求項１０】
前記ＯＬＴ装置がギガビット受動光ネットワーク（ＧＰＯＮ）内で使用される場合に、前記第２のデータ処理ユニットは、
ＧＰＯＮプロトコルスタック内の物理層の機能を実施するように適合されたＧＰＯＮ  ＯＤＮインタフェース機能ユニットと、
前記ＧＰＯＮプロトコルスタック内の伝送コンバージェンス（ＴＣ）層の機能を実施し、前記第２の適応信号と前記ファイバ伝送信号との間のデータフォーマット変換を実行するように適合されたＰＯＮ  ＴＣ層機能ユニットと、
を特に備える、請求項９に記載のＯＬＴ装置。
【請求項１１】
前記ＯＬＴ装置がイーサネット（登録商標）受動光ネットワーク（ＥＰＯＮ）内で使用される場合に、前記第２のデータ処理ユニットは、
ＥＰＯＮプロトコルスタック内の物理層の機能を実施するように適合されたＥＰＯＮ  ＯＤＮインタフェース機能ユニットと、
前記ＥＰＯＮプロトコルスタック内のデータリンク層の機能を実施し、前記第２の適応信号と前記ファイバ伝送信号との間のデータフォーマット変換を実行するように適合されたＥＰＯＮデータリンク層機能ユニットと、
を特に備える、請求項９に記載のＯＬＴ装置。
【請求項１２】
無線ユーザの無線サービスデータを受信し、前記無線サービスデータに対して周波数処理を実行して第１の周波数信号を取得することと、
前記第１の周波数信号に対して速度適応とフレームフォーマット変換とを実行して第１の適応信号を取得することと、
前記第１の適応信号を光伝送プロトコルに従ってファイバ伝送信号に変換し、前記ファイバ伝送信号を光分配ネットワーク（ＯＤＮ）を介して送信することと、
前記ＯＤＮを介して送信された前記ファイバ伝送信号を別のネットワークへの伝送のために前記光伝送プロトコルに従って別の標準プロトコルの信号に変換することと、
を含む、光アクセスネットワーク（ＯＡＮ）のデータ伝送方法。
【請求項１３】
前記ＯＤＮを介して送信された前記ファイバ伝送信号を前記別の標準プロトコルの信号に変換することは、
前記ＯＤＮを介して送信された前記ファイバ伝送信号を前記光伝送プロトコルに従って第２の適応信号に変換することと、
前記第２の適応信号に対して速度適応とフレームフォーマット変換とを実行して第２の周波数信号を取得することと、
前記第２の周波数信号に対して、ベースバンド信号処理、及び／又は、無線データリンク層とその上位層とのデータ処理を実行して、ベースバンド信号を取得することと、
前記ベースバンド信号を別のネットワークへの伝送のために別の標準プロトコルの信号に変換することと、
を特に含む、請求項１２に記載の方法。
【国際調査報告】
2011504027.tif 000018
2011504027.tif 000019
2011504027.tif 000020
2011504027.tif 000021